(57)【要約】【課題】人が食べたいものを選定する際に通常行う行動パターンに近い感覚で食べたいものを探し、選定できると同時に、情報の提供に関してリアルタイム性に優れたシステムを提供する。【解決手段】店舗ユーザがアップロードする写真やコメントをランク順にウエブページ上の見やすい位置に配列するウエブページであって、新たにアップロードする写真やコメントは、ウエブページ上の最も見やすい位置に表示され、また、閲覧者の写真等の選択行為によって上位へのランクアップを可能にする。【選択図】図１
2015022595.tif 000002
【特許請求の範囲】
【請求項１】
複数の店舗ユーザが提供する飲食物に関する写真をウエブページとして複数の閲覧ユーザに提供する上記複数の店舗ユーザおよび上記複数の閲覧ユーザのそれぞれの端末と双方向通信可能な飲食物情報閲覧システムであって、
上記複数の店舗ユーザに関する認証情報および店舗情報を保存する店舗ユーザデータ蓄積手段と、
当該システムにログインする上記複数の店舗ユーザーの端末を認証し、認証情報を管理する認証管理手段と、
上記認証管理手段により当該システムにログインを許可された店舗ユーザの端末から送信される飲食物に関する写真等データを、当該店舗ユーザの認証情報および／または店舗情報と関連付けて保存する写真データ蓄積手段と、
上記写真データ蓄積手段に保存されている写真等データに対して、順位付けを行う順位付け手段と、
上記写真等データから変換した写真および／またはコメントを、または当該写真および／またはコメントに加えて当該写真上あるいはその近傍位置に当該写真等データに関するイベントを発生する表示を、上記順位付け手段が順位付けした順位に基づいて上記ウエブページの見やすい位置から順に配置を行う写真配置手段と、
閲覧ユーザの端末上において、上記ウエブページに配置されたそれぞれの写真および／またはコメントおよび／またはイベントを発生させる表示が、クリック等の選択操作により選択された際に、選択されたものに対応するイベントを発生させる閲覧ユーザ選択イベント発生手段と、
を備え、
上記閲覧ユーザ選択イベント発生手段が発生するイベントの一つは店舗情報の表示であり、このイベントは対応する写真等データを送信した店舗ユーザに関する店舗情報に基づくウエブページを当該閲覧ユーザーの端末上に表示する、または、当該店舗情報に基づくウエブページの表示を可能とするウエブページを当該閲覧ユーザーの端末上に表示するイベントであり、
上記順位付け手段は、上記写真データ蓄積手段に新たに保存された写真等データを最上位群に順位付けし、且つ、閲覧ユーザ選択イベント発生手段がイベント・トリガを発生させた際に上記選択されたものに基づいて対応する写真データの順位を上げる
ことを特徴とする飲食物情報閲覧システム。
【請求項２】
複数の閲覧ユーザに関する認証情報を保存する閲覧ユーザデータ蓄積手段をさらに備え、
上記認証管理手段は、当該システムにログインする上記複数の店舗ユーザーおよび複数の閲覧ユーザの端末を認証し、認証情報を管理する
ことを特徴とする請求項１に記載の飲食物情報閲覧システム。
【請求項３】
上記閲覧ユーザ選択イベント発生手段が発生するイベントの一つは上記写真等データに対する閲覧ユーザの高評価を受付けるイベントである
ことを特徴とする請求項１または２に記載の飲食物情報閲覧システム。
【請求項４】
上記閲覧ユーザ選択イベント発生手段が発生するイベントの一つは上記写真の拡大表示を行うイベントである
ことを特徴とする請求項１から３のいずれかに記載の飲食物情報閲覧システム。
【請求項５】
上記店舗情報は店舗の所在地である位置情報を有し、
上記閲覧ユーザの端末から送信される位置情報を受信し、当該位置情報と上記店舗情報に基づき、該当する店舗ユーザを抽出し、この抽出された店舗ユーザの端末が送信した写真等データのみを選択する手段を備えた
ことを特徴とする請求項１から４のいずれかに記載の飲食物情報閲覧システム。
【請求項６】
上記閲覧ユーザ選択イベント発生手段がそれぞれの上記写真等データに対して発生するイベントに基づき、写真等データのランキングを行い、それをウエブページに表示する手段を備えた
ことを特徴とする請求項１から５のいずれかに記載の飲食物情報閲覧システム。
【請求項７】
上記複数の閲覧ユーザそれぞれの端末に、上記複数の閲覧ユーザそれぞれの端末においてなされた写真および／またはイベントを発生する表示が選択動作によって選択された複数の写真を上記複数の閲覧ユーザそれぞれの端末に表示し、当該複数の写真を上記複数の閲覧ユーザそれぞれの端末において編集する手段を備えた
ことを特徴とする請求項１から６のいずれかに記載の飲食物情報閲覧システム。
【請求項８】
上記認証管理手段は、上記複数の閲覧ユーザそれぞれの端末を認証する際に、ソーシャルネットワーキングサービスの認証情報を参照する
ことを特徴とする請求項１から７のいずれかに記載の飲食物情報閲覧システム。
【発明の詳細な説明】
【技術分野】
【０００１】
本発明は、飲食物に関する情報、特に飲食物の写真情報を提供し、さらにその飲食物を提供する飲食店に関する情報を提供するシステムに関するものである。
【背景技術】
【０００２】
昨今インターネット等のネットワークの急速な普及により、様々な情報を提供するウエブページを簡便に利用することが可能となった。例えば、飲食店に関する情報を提供するウエブページにおいては、飲食店の場所や提供する料理の種類、価格帯等を指定すれば、それらの条件に合った飲食店が選択され、ウエブページに表示される。
【０００３】
また、広告依頼者から時間的な有効性を示す情報を含んだ広告情報を容易に収集し、その中で所定の条件に合った広告情報のみを抽出して提供するウエブページも提案されている。（例えば、特許文献１）。
【０００４】
このウエブページにおいては、例えば、日替わりのランチメニューなどの時間的な有効性を示すランチ情報を広告情報として提供する場合において、ネットワークを介して接続された広告依頼者の端末に対し、広告管理サーバの制御装置２１は情報入力画面を送信して広告依頼者に各店舗の基本情報とランチ情報の入力を促し、これらの情報を店舗基本ＤＢ２２およびランチＤＢ２３に関連付けて記憶する。また、ユーザの端末からアクセス要求があったときに、その端末に対して情報検索画面を送信し、ユーザに店舗検索に必要な条件の入力を促す。この入力された検索条件に基づいて店舗基本ＤＢ２２およびランチＤＢ２３を検索し、検索条件に合った各店舗のランチ情報を読み出してユーザに提供する。
【先行技術文献】
【特許文献】
【０００５】
【特許文献１】特開２００３−２０８４３２号
【発明の概要】
【発明が解決しようとする課題】
【０００６】
しかしながら、一般的なウエブサイトを利用する場合、提供する料理の種類や価格帯等を指定して飲食店を検索し、さらに、その飲食店の詳細な情報から、飲食したい飲食物を決めることになる。このような利用方法は面倒であると同時に、人が飲食物を選定する通常の手順とは大きく異なる物である。
【０００７】
例えば、友達や家族とグルメ街に出かけて散策しながら店を選ぶ場合、料理の種類や価格帯を予め決めてから店を選ぶことは一般的ではない。通常は、店の前に並ぶ飲食物の陳列を見て、視覚的に食べたい飲食物を探し、入る店を決める。
【０００８】
また、特許文献１に開示されたウエブページにおいては、ランチ情報という時間的要因を考慮した飲食物の情報を提供できるというメリットがある。しかし、その時々において、人が食べたいという飲食物は、ランチ情報やディナー情報といった種別だけでの分類だけでは不十分であり、その日の天候や気温等によっても影響されるし、食材等に関するニュースによっても左右されることがある。したがって、今まさに食べたい飲食物を提供するという観点からは不十分なものであった。
【０００９】
さらに、これらのウエブサイトにおいては、情報を提供する側である飲食店にとって、どのような料理が求められているかという消費者ニーズを十分に得ることは難しかった。特に、飲食店の立地条件やその店のグレードやブランドイメージとは関係なく、提供する飲食物だけを消費者に客観的に評価してもらい、その評価結果を知ることは困難であった。
【００１０】
本発明は、上記の種々の問題を解決するためになされたものであり、新規な飲食物情報閲覧システムを提案するものである。
【課題を解決するための手段】
【００１１】
本発明に係る飲食物情報閲覧システムは、複数の店舗ユーザが提供する飲食物に関する写真をウエブページとして複数の閲覧ユーザに提供する上記複数の店舗ユーザおよび上記複数の閲覧ユーザのそれぞれの端末と双方向通信可能な飲食物情報閲覧システムであって、
上記複数の店舗ユーザに関する認証情報および店舗情報を保存する店舗ユーザデータ蓄積手段と、
当該システムにログインする上記複数の店舗ユーザーの端末を認証し、認証情報を管理する認証管理手段と、
上記認証管理手段により当該システムにログインを許可された店舗ユーザの端末から送信される飲食物に関する写真等データを、当該店舗ユーザの認証情報および／または店舗情報と関連付けて保存する写真データ蓄積手段と、
上記写真データ蓄積手段に保存されている写真等データに対して、順位付けを行う順位付け手段と、
上記写真等データから変換した写真および／またはコメントを、または当該写真および／またはコメントに加えて当該写真上あるいはその近傍位置に当該写真等データに関するイベントを発生する表示を、上記順位付け手段が順位付けした順位に基づいて上記ウエブページの見やすい位置から順に配置を行う写真配置手段と、
閲覧ユーザの端末上において、上記ウエブページに配置されたそれぞれの写真および／またはコメントおよび／またはイベントを発生させる表示が、クリック等の選択操作により選択された際に、選択されたものに対応するイベントを発生させる閲覧ユーザ選択イベント発生手段とを備え、
上記閲覧ユーザ選択イベント発生手段が発生するイベントの一つは店舗情報の表示であり、このイベントは対応する写真等データを送信した店舗ユーザに関する店舗情報に基づくウエブページを当該閲覧ユーザーの端末上に表示する、または、当該店舗情報に基づくウエブページの表示を可能とするウエブページを当該閲覧ユーザーの端末上に表示するイベントであり、
上記順位付け手段は、上記写真データ蓄積手段に新たに保存された写真等データを最上位群に順位付けし、且つ、閲覧ユーザ選択イベント発生手段がイベント・トリガを発生させた際に上記選択されたものに基づいて対応する写真データの順位を上げることを特徴とする。
【００１２】
特に、本発明に係る飲食物情報閲覧システムは、複数の閲覧ユーザに関する認証情報を保存する閲覧ユーザデータ蓄積手段をさらに備え、上記認証管理手段は、当該システムにログインする上記複数の店舗ユーザーおよび複数の閲覧ユーザの端末を認証し、認証情報を管理することを特徴とする。
【００１３】
また、本発明に係る飲食物情報閲覧システムは、上記閲覧ユーザ選択イベント発生手段が発生するイベントの一つが上記写真等データに対する閲覧ユーザの高評価を受付けるイベントであることを特徴とする。
【００１４】
さらに、本発明に係る飲食物情報閲覧システムは、上記閲覧ユーザ選択イベント発生手段が発生するイベントの一つが上記写真の拡大表示を行うイベントであることを特徴とする。
【００１５】
また、本発明に係る飲食物情報閲覧システムは、上記店舗情報が店舗の所在地である位置情報を有し、上記閲覧ユーザの端末から送信される位置情報を受信し、当該位置情報と上記店舗情報に基づき、該当する店舗ユーザを抽出し、この抽出された店舗ユーザの端末が送信した写真等データのみを選択する手段を備えたことを特徴とする。
【００１６】
さらに、本発明に係る飲食物情報閲覧システムは、上記閲覧ユーザ選択イベント発生手段がそれぞれの上記写真等データに対して発生するイベントに基づき、写真等データのランキングを行い、それをウエブページに表示する手段を備えたことを特徴とする。
【００１７】
また、本発明に係る飲食物情報閲覧システムは、上記複数の閲覧ユーザそれぞれの端末に、上記複数の閲覧ユーザそれぞれの端末においてなされた写真および／またはイベントを発生する表示が選択動作によって選択された複数の写真を上記複数の閲覧ユーザそれぞれの端末に表示し、当該複数の写真を上記複数の閲覧ユーザそれぞれの端末において編集する手段を備えたことを特徴とする。
【００１８】
さらに、本発明に係る飲食物情報閲覧システムは、上記認証管理手段が、上記複数の閲覧ユーザそれぞれの端末を認証する際に、ソーシャルネットワーキングサービスの認証情報を参照することを特徴とする。
【発明の効果】
【００１９】
本発明に係る飲食物情報閲覧システムは、前記のごとく構成されているので、ウエブページを閲覧するユーザは、面倒な条件設定を行うことなく、視覚に基づいて食べたい飲食物を選択することができる。また、時間帯や気候条件、さらにはニュース等の話題性をも考慮したタイムリーな飲食物を提供できる。さらに、情報提供者である飲食店は、自らが提供する飲食物の写真に対する閲覧ユーザ客観的な評価をいち早く知ることができる。
【図面の簡単な説明】
【００２０】
【図１】本発明の実施の形態１に係る飲食物情報閲覧システムおよびネットワークの構成図である。
【図２】本発明に係るウエブページのイメージである。
【図３】本発明に係る順位付けを行う際のフローチャートである。
【図４】本発明に係る拡大写真を示すウエブページのイメージである。
【図５】本発明の実施の形態２に係る飲食物情報閲覧システムおよびネットワークの構成図である。
【図６】本発明の実施の形態３に係る飲食物情報閲覧システムおよびネットワークの構成図である。
【図７】本発明の実施の形態４に係る飲食物情報閲覧システムおよびネットワークの構成図である。
【図８】本発明の実施の形態５に係る飲食物情報閲覧システムおよびネットワークの構成図である。
【発明を実施するための形態】
【００２１】
実施の形態１．
以下に、本発明に係る飲食物情報閲覧システムに関する実施の形態１について、図を用いて説明する。尚、以下の実施の形態は、本発明の一例であって、特に本発明をこの一例に限定するものではない。実施の形態２以下についても同様である。
【００２２】
まず、図１を用いて、本発明の実施の形態１に係る飲食物情報閲覧システムの構成および関連するネットワーク等に関して説明する。
図１は、係る飲食物情報閲覧システムおよびネットワーク等の構成図である。飲食物閲覧システム１は、ネットワーク３００を介して、複数の店舗ユーザの端末１００、および複数の閲覧ユーザの端末２００とデータのやり取りを行うことができる。
【００２３】
飲食物閲覧システム１は、サーバコンピュータ等のコンピュータである。
ネットワーク３００は、インターネットや電話回線といったデータを双方向に送信できる情報通信回線であり、インターネットや電話回線が互いに結合した複合的な情報通信回線であっても良い。
【００２４】
店舗ユーザの端末１００は、主に飲食店や食品販売店といった飲食物を扱う店舗が使用する端末である。
閲覧ユーザの端末２００は、ウエブページを閲覧するために一般のユーザが使用する端末である。
ここで端末とは、ネットワーク３００を介してデータの送受信を行うことが可能な端末であり、スマートフォンや携帯電話あるいはタブレット型ＰＣといった携帯情報端末であっても良いし、デスクトップＰＣやノートＰＣであっても良い。
【００２５】
次に、飲食物閲覧システム１の具体的な構成について説明する。
まず、飲食物閲覧システム１は、上述したようにサーバコンピュータ等のコンピュータであり、ネットワーク３００を介して、店舗ユーザの端末１００および閲覧ユーザの端末２００と双方向のデータのやり取りを行うことができるシステムであり、店舗ユーザの端末１００からアップロードされた情報をウエブページとして閲覧ユーザの端末２００に提供するシステムである。
【００２６】
そして、飲食物閲覧システム１は、店舗ユーザデータ蓄積手段２、閲覧ユーザデータ蓄積手段３、認証管理手段４、写真データ蓄積手段５、順位付け手段６、写真配置手段７、閲覧ユーザ選択イベント発生手段８、店舗情報表示手段９、および写真拡大表示手段１０から構成される。
【００２７】
店舗ユーザデータ蓄積手段２は、大容量記憶メモリであり、ハードディスクや光ディスクといったディスクタイプのメモリであっても良いし、半導体メモリであっても良い。この店舗ユーザデータ蓄積手段２には、複数の店舗ユーザに関する認証情報および店舗情報が保存されている。
【００２８】
ここで認証情報とは、店舗ユーザの端末１００が飲食物閲覧システム１にアクセスするためのログイン情報であり、ログインＩＤとパスワードからなる情報である。あるいは、店舗ユーザの端末１００のＭＡＣアドレス等のハードウエア識別情報がネットワーク３００を介して飲食物閲覧システム１に送信できるのであれば、この種のハードウエアに関する識別情報であっても良い。
【００２９】
また、店舗情報とは、店舗ユーザが営業する店舗に関する情報であり、例えば、その店舗のホームページやブログのＨＴＭＬソースであっても良いし、ホームページやブログにアクセスするためのＵＲＬであっても良い。
【００３０】
閲覧ユーザデータ蓄積手段３も店舗ユーザデータ蓄積手段２と同様の大容量記憶メモリである。閲覧ユーザデータ蓄積手段３には、複数の閲覧ユーザに関する認証情報が保存されている。
【００３１】
写真データ蓄積手段５も、店舗ユーザデータ蓄積手段２と同様の大容量記憶メモリである。写真データ蓄積手段５には、店舗ユーザの端末１００からアップロード送信される写真データやそれに関するコメント（文字情報）が、その写真データを送信した店舗ユーザに関する認証情報や店舗情報に関連付けて記憶されている。すなわち、どの店舗ユーザの端末１００から送信された写真データやコメントであるかを判別できる状態で保存されている。写真データは、通常はデータ容量を小さくするため、ＪＰＥＧ等のデータ圧縮形式で送信され、また保存されている。以下においては、この保存されている写真データ、あるいは写真データと文字情報であるコメントを写真等データと呼ぶ。
【００３２】
店舗ユーザの端末１００から写真等データをアップロード送信する方法については、通常行われている方法を用いる。例えば、アップロードを行うウエブページに認証プロセスを経てログインし、そのウエブページからアップロードを行っても良い。あるいは、システム管理者から予め提供される専用のアップロード用アプリケーションを店舗ユーザの端末１００で起動し、このアプリケーション上で写真等データをアップロード送信しても良い。
【００３３】
なお、店舗ユーザデータ蓄積手段２、閲覧ユーザデータ蓄積手段３および写真データ蓄積手段５は、それぞれ異なる大容量記憶メモリである必要は無く、例えば、ひとつのハードディスクであっても良い。あるいは、それぞれの蓄積手段が複数の大容量記憶メモリから構成されていても良い。
【００３４】
次に、認証管理手段４、順位付け手段６、写真配置手段７、閲覧ユーザ選択イベント発生手段８、店舗情報表示手段９、および写真拡大表示手段１０は、サーバコンピュータ等のコンピュータである飲食物閲覧システム１を構成するＣＰＵやメインメモリ、大容量メモリ、各種のデータバス等のハードウエアと、起動されるソフトウエアが協働することで得られる各種の機能である。
【００３５】
まず、認証管理手段４は、店舗ユーザや閲覧ユーザが登録されているユーザであるかを確認し、登録されている店舗ユーザには写真等データのアップロードを許可し、また、登録されている閲覧ユーザにはウエブページへのログインを許可する機能を有している。具体的には、店舗ユーザの端末１００あるいは閲覧ユーザの端末２００から送信されてきた認証情報と、店舗ユーザデータ蓄積手段２や閲覧ユーザデータ蓄積手段３に保存されている認証情報とを照合し、その照合結果をユーザー端末１００あるいは２００に返す。
【００３６】
なお、閲覧ユーザの端末２００に関しては、必ずしも認証が必要なわけでは無い。より気楽に閲覧できるウエブページにするのであれば、閲覧ユーザのログインは省略しても良い。この場合は、閲覧ユーザデータ蓄積手段３も不要となる。
【００３７】
順位付け手段６は、写真データ蓄積手段５に保存されている各写真等データに対して順位付けを行う機能を有している。例えば、保存されている写真等データの数が８００個であれば、それぞれに対して１位から８００位までの順位付けを行う。順位付けを行うアルゴリズムに関しては後述する。
【００３８】
写真配置手段７は、順位付け手段６が付けた順位にしたがって、写真データ蓄積手段５に保存されている各写真等データのウエブページ上での配置位置を決める機能を有している。上位に順位付けられた写真等データから順に、ウエブページ上の見やすい位置に配置を行う。
【００３９】
例えば、図２は、飲食物閲覧システム１が閲覧ユーザの端末２００に提供するウエブページの一例である。ウエブページにおいて、閲覧ユーザの注意を最も引く場所はページの左上であり、そして視線は右に移動し、ページの右端から左下に飛び、そして右に移動するのが普通である。したがって、図２のページにおいては、左上の「スペシャル・サーモン」が最も見やすい位置であり、その右の「栗のケーキ」が２番目、さらにその右の「寿司ランチ」が３番目に見やすい位置である。そして、視線は左下に飛び、「お昼はおそばだよ」が４番目である。
【００４０】
すなわち、順位付け手段６が付けた順位は、「スペシャル・サーモン」が第一位、「栗のケーキ」が第二位、「寿司ランチ」が第三位、「お昼はおそばだよ」が第四位であり、写真配置手段７はこの順にしたがって、各写真等データをページに配置している。
このようにして、写真データ蓄積手段５に保存されているすべての写真等データを順位付け手段６が付けた順位にしたがってウエブページ上に配置する。ただし、写真データ蓄積手段５に保存されている写真等データの数が多く、１つのウエブページ上に配置すると容量が大きくなりすぎるような場合には、複数のページに配置しても良い。例えば、１位から１００位まで１ページ目に配置し、２ページ目に１０１位から２００位までを配置するといった具合である。そして、各ページに「次のページ」等の表示を設け、閲覧ユーザのクリック等の動作により、次にページへ遷移するようにしても良い。
なお、スマートフォンのようにディプレイが小さい端末に提供するウエブページの場合には、閲覧ユーザに見やすいように、上から下に一列に各写真等データを配置しても良い。
【００４１】
ここで、図２に示したウエブページの構成について説明する。
図２には各種の料理やデザート、あるいはドリンクの写真が掲載されている。これらそれぞれの写真の元となるデータが、店舗ユーザの端末１００からアップロードされた写真等データであり、各写真の下に掲載されている「スペシャル・サーモン」等のコメントとともにアップロードされる。そして、それぞれの写真の上には、「美味しそう！」という文字が書かれたアイコン等の表示と、「お店の情報」という文字が書かれたアイコン等の表示が配置されている。写真配置手段７は、図２のこれらの各表示をそれぞれの写真の近くに配置する機能も有している。
【００４２】
それぞれの写真、あるいはその近傍等に配置された表示が閲覧ユーザによりクリック等の選択動作を行われた際には、どの表示が選択されたかの選択情報が閲覧ユーザの端末１００から飲食物閲覧システム１に送信され、この選択情報を閲覧ユーザ選択イベント発生手段８が受け取る。そして、選択情報に基づいてイベントを発生させる。
【００４３】
例えば、このページの閲覧ユーザが、美味しそうだと思う料理を見つけた際には、「美味しそう！」という表示をクリックして、その料理に対して高い評価を示す意思表示を行うことができる。また、お店の場所や雰囲気等の詳細を知りたい場合には、「お店の情報」をクリックすれば良い。また、料理の拡大写真を見たい際には、料理の写真をクリックする。
【００４４】
なお、「美味しそう！」という表示は、「食べたい！」であって良いし、「グッド！」等であっても良い。また、同様の意味を伝達できるイラスト等であっても良い。また、アイコンに限らず、クリックして選択可能な文字等であっても良い。
これらの表示を行う場所は、各写真の近傍でも良いし、写真上であっても良い。あるいは、写真の上にマウスポインターが位置した時だけ、これらの表示を行うようにしても良い。
「お店の情報」についても全く同様である。
【００４５】
次に、上記のイベント発生時の動作について具体的に説明する。
閲覧ユーザ選択イベント発生手段８は、選択情報として「美味しそう！」という表示が選択されたという情報を受け取った際には、順位付け手段６に対して、どの閲覧ユーザの端末２００からどの写真に対して「美味しそう！」という高評価が与えられたかの情報を送る。順位付け手段６は、この情報に基づいて各写真等データの順位付けを行う。この順位付けのアルゴリズムを図３に基づいて説明する。
【００４６】
順位付け手段６による各写真等データの順位付けは、上記の情報以外に、新たな写真等データがアップロードされた際にも行われる。すなわち、順位付け手段６は、閲覧ユーザ選択イベント発生手段８から高評価が与えられたという情報の他にも、写真データ蓄積手段５より送信される新たな写真等データがアップロードされたという情報を、常に受付可能な状態にあり、これらの情報を受付けると順位付けを行う。
【００４７】
図３が、そのアルゴリズムを説明するフローチャートである。まず、順位付け手段６は、写真データ蓄積手段５より新たな写真等データがアップロードされたという情報を得たときには、その新たに受信した写真等データの順位を最上位にする。そして、既に写真データ蓄積手段５保存されていた写真等データの順位を１位ずつランクダウンする。
【００４８】
また、閲覧ユーザ選択イベント発生手段８が高評価が与えられたという選択情報を受信し、順位付け手段６にその情報を与えた際には、高評価を与えた閲覧ユーザが、過去にも同一の写真に対して高評価を与えていなかったか否かを過去のログを参照してチェックする。
【００４９】
過去に同一の写真に対して高評価を与えていなかったこと、すなわち、この閲覧ユーザからこの写真への初めての高評価であることを確認した際には、この写真等データの順位をＮ位ランクアップする。ここでＮはランクアップのパラメータであり、Ｎ＝１００であれば、高評価を与えられた写真等データの順位は１００位ランクアップする。あるいは、この写真等データの順位がもともと１００位以内であった場合には、この写真等データは１位となる。そして、この写真等データに順位を抜かれた写真データのそれぞれの順位を１位ランクダウンする。
【００５０】
そして、この閲覧ユーザがこの写真に高評価を与えたというログを保存する。こうすることで、今後、同一の閲覧ユーザが同一の写真に高評価を与えた際に、そのことをログを参照することで知ることができる。なお、同一の閲覧ユーザが同一の写真に高評価を与えた際に写真データの順位を上げない理由は、評価に客観性を持たせるためである。
【００５１】
図３に示したアルゴリズムでは、閲覧ユーザが「美味しそう！」という高評価表示をクリックしたときに、順位アップが生じるとしたが、写真に関する他の選択情報、すなわち、写真自体がクリックされたり、「お店の情報」がクリックされた場合にも、閲覧ユーザがその写真に興味を示したとして、対応する写真等データのランクアップを行っても良い。例えば、写真自体がクリックされたり、「お店の情報」がクリックされた場合には、対応する写真等データの順位を１００位アップし、「美味しそう！」という高評価表示がクリックされた場合には、対応する写真等データの順位を一挙に最上位にしても良い。なお、最上位にするためには、上記のパラメータＮの値を写真等データの数に比べて十分に大きな数に設定しておけばよい。
【００５２】
なお、図３で示した順位付けのフローチャートにおいては、新たに受信した写真等データを最上位にランクしたが、必ずしも最上位でなくても良い。ただし、３位や７位等の最上位群でなければならない。ここで最上位群とは、閲覧ユーザがページのスクロールを多くすること無く見ることができるウエブページの位置に配置される順位である。例えば、このウエブページを普通にプリントアウトした際に、１ページ目あるいは２ページ目としてプリントアウトされる順位である。
新たに受信した写真等データのランク付けにおいて大切なことは、閲覧ユーザがすぐに見つけられる位置に写真等を配置できるようにすることである。なぜなら、閲覧ユーザが今すぐに食べたいと感じるであろう飲食物の写真等を、店舗ユーザはアップロード送信することが多く、その飲食物を閲覧ユーザが見やすいウエブページの位置に配置することで、タイムリーな飲食物の写真等を提供できる。
このように、情報提供のタイムリー性を担保するために、新たに受信した写真等データは、最上位群にランクされる。
【００５３】
また、前述したように、閲覧ユーザのログインを省略したシステムとした際には、同じ閲覧ユーザが同じ写真に対して複数回の高評価を行うことも懸念される。したがって、ウエブページを気楽に多くの閲覧ユーザに見てもらいたい場合には、閲覧ユーザのログインを省略したシステムとすれば良い。一方、評価の客観性に重きを置く場合には、閲覧ユーザのログインを必要とするシステムとすれば良い。
【００５４】
次に、閲覧ユーザ選択イベント発生手段８が行う他のイベント動作について説明する。閲覧ユーザが「お店の情報」をクリックした際には、閲覧ユーザ選択イベント発生手段８はどの閲覧ユーザが、どの写真の近傍に位置する「お店の情報」をクリックしたかに関する情報を受信する。そして、この写真に対応する写真等データに関連する店舗情報を写真データ蓄積手段５より得る。そして、この店舗情報を店舗情報表示手段９に送る。
【００５５】
店舗情報表示手段９は、閲覧ユーザの端末２００においてこの店舗情報に対応するウエブページが開くように、閲覧ユーザの端末２００に必要なデータを送信する。
このようにすることで、閲覧ユーザは写真に表示された飲食物を提供する店舗の場所や雰囲気、営業時間、他のメニューや価格といった詳細な情報を得ることができる。
【００５６】
閲覧ユーザが写真をクリックした際には、閲覧ユーザ選択イベント発生手段８はどの閲覧ユーザが、どの写真をクリックしたかに関する情報を受信する。そして、この写真に対応する写真等データを写真データ蓄積手段５より得る。そして、写真等データを写真拡大表示手段１０に送る。
写真拡大表示手段１０は、写真等データより拡大した写真とコメントをウエブページに表示するとともに、「美味しそう！」や「お店の情報」と書かれた表示をこのウエブページ上に配置させる。これらの表示がクリックされた際のイベント動作は、図２の同様の表示をクリックした際と同様である。
【００５７】
このように、閲覧ユーザ選択イベント発生手段８は、閲覧ユーザの端末２００で生じた写真や各種表示の選択行為により、順位付けの変更、店舗の詳細情報の表示、あるいは拡大写真の表示といったイベントを発生させるトリガとなる。
【００５８】
本発明の実施の形態１に係る飲食物閲覧システムは以上のように構成されているため、これまでの飲食店の検索サイトとは全く異なるウエブページを閲覧ユーザに提供できる。
第一に、閲覧ユーザは、様々な種類の飲食物の写真を見比べながら、食べたい飲食物を探すことができる。家族や友達と町やレストラン街を散策しながら食べたいものを探す際には、各店舗の前に陳列されている料理を見ながら何を食べようかと迷い、取捨選択を繰り返しながら決めることが普通である。したがって、本飲食物閲覧システムは、まさに人が食べたい物を探し選択する行動と同様の行動を可能とするシステムである。すなわち、現行の多くのレストラン検索サイト等においては、「店を選定し、その店のメニューから料理を選定」という流れであるが、本飲食物閲覧システムにおいては、「料理を選定し、店を決める」という逆の流れであり、最初に料理を見て視覚により食べたいものを決めるという人の飲食物選定行動によりマッチしたシステムである。
【００５９】
第二に、料理の種類や価格帯を決めてから検索を行うといった面倒が無い。そして、多くの飲食物が並んだページは視覚的に美しく、視覚を楽しませながら食べたい料理を探すことができる。
【００６０】
第三に、店舗ユーザはタイムリーな飲食物に関する写真を提供できる。お昼にはランチに合った飲食物を、夜には少し豪華な料理を、といった時間帯に関するタイムリーさにとどまらず、天候や最新の話題も考慮した食材に関する写真を提供できる。例えば、蒸し暑い日にはあっさりとした料理を、寒い日には体が温まる料理をタイムリーに提供できる。あるいは、朝のニュースで美味しそうな料理の話題が放送された際には、すぐにその料理の写真をランチの時間帯に提供すれば、ニュースを見ていた人の興味を引きつけることができる。逆に、鳥インフルエンザといった食材に関するネガティブなニュースが流れたときには、そういった食材を使わない料理お写真を提供できる。
【００６１】
もちろん、この第三の特長は、閲覧ユーザにとっても大きなメリットである。蒸し暑い日に、さわやかで涼しげなランチを苦労して検索することなく見つけることができる。
本システムの構成上の特徴である、料理の写真を掲載することと、新たにアップロードされた料理の写真が見やすい位置に掲載されること、が相まって、飲食物の提供に最適なタイムリー性を生み出している。特に、店舗ユーザにとっては、撮った写真をアップロードするだけで良いという簡便さが大きなメリットであり、このことがさらに本システムのタイムリー性を向上させている。
【００６２】
第四に、レストラン経営者等の店舗ユーザは、閲覧ユーザのクリック等の選択動作からから素早く且つ客観的な料理の評価を知ることができる。
ここで、「素早く」というメリットは、上記のタイムリー性と同様である。考案した料理をアップロードすると直ちに閲覧ユーザが見やすい位置に掲載される。そして、閲覧ユーザの評価は、自分がアップロードした写真の順位の変動によって直ちに知ることができる。このように素早く評価を知ることで、メニューの改善に素早く取り組めるし、翌日からの食材の仕入れ量を適切な量に変更することもできる。
そして、「客観的」というメリットは２つの意味を持つ。ひとつ目は、他の多くの飲食店の料理と比較された評価、という意味での客観性である。例えば、自分の店のホームページに、毎日異なる料理の写真を掲載し、閲覧者の反応を知ることは不可能ではない。しかし、この際の閲覧者の判断は、自分の店が提供する複数の料理の中でどの料理の評判が良いかの判断になってしまい、井の中の蛙の評価である。ふたつ目は、料理そのものの評価が得られるという意味での客観性である。本システムにおいては、料理を提供するレストラン等の店舗とは無関係に、飲食物の写真のみが掲載される。したがって、店舗の知名度や立地条件等を先入観無しに、飲食物の写真のみが評価される。
【００６３】
なお、このような評価は、料理の味が評価されたものではなく、単なる見た目だけの評価であり、美味しさの評価ではないから意味が無い、との批判もあるであろう。しかし、上述したように、人はまず視覚で食べたいものを決めることが普通であり、飲食店にとって飲食物の見た目の評価を知ることは非常に重要である。また、料理人にとっては、味だけでなく、盛り付けも大切な技である。盛り付け方を変えたいくつかの料理の写真を本システムに掲載し、どの盛り付けが評価されるかを知ることもできるため、料理の腕の向上にもつながる。
【００６４】
第五に、閲覧ユーザの評価によって写真の順位が上昇するため、掲載時には不人気であった料理が、突然ランクアップすることも考えれれる。例えば、店舗ユーザが、寒い日に向いているとして掲載した料理が、評判を得ずに順位を下げたものの、季節が夏になってから、その料理の順位が上がるといったことも有りうる。すなわち、店舗ユーザの思惑とは異なり、暑い時期にこそ食べたいとの評価を受ける料理であったことが、このシステムのよって分かる場合もある。
【００６５】
第六に、本システムが提供するウエブページは、食べたいものを探す以外の目的にも活用できる。例えば、今日の夕飯のメニューに悩む主婦がこのウエブページを参考にしてメニューのヒントを得ることもできる。特に、各種のジャンルの飲食物がランダムに掲載されているので、ジャンルを越えた新たなクロスオーバ的なメニューも浮かぶ可能性がある。
【００６６】
第七に、本システムの運営者は、閲覧ユーザの評価を分析することで、どのような料理が評価を得やすく、あるいはどのような写真の撮り方が良いといったことが分かるため、店舗ユーザに適切なアドバイスやコンサルティングを行うこともできる。
【００６７】
実施の形態２．
図５は、本発明の実施の形態２に係る飲食物情報閲覧システム１Ａの構成および関連するネットワーク等に関する構成図である。
実施の形態１に係る飲食物情報閲覧システム１と異なる点は、ランキング手段１２が追加されている点である。選択情報受付手段が受信した高評価等の閲覧ユーザの選択情報から、写真等データのランキングを作成する。例えば、ランキング手段１２は、どの写真が何人の閲覧ユーザから高い評価を得たか、といったランキングを作成し、ウエブページに掲載する。
【００６８】
閲覧ユーザはランキングから人気の高い飲食物を知ることができるので、いわゆる口コミ情報に相当する情報を得ることができる。一方、人気の高い料理の写真を提供する店舗ユーザにとっては、まさに口コミ効果による収益のアップが期待できる。
ランキング手段１２は、上記のようなすべての写真等データに関するランキングを作成するだけではなく、店舗ユーザ単位のランキングを作成しても良い。例えば、ある店舗ユーザが提供した飲食物の写真等データの評価結果を掲載するページを設けても良い。そして、認証管理手段４により、その店舗ユーザのみが自分が提供した飲食物の写真等データの詳細な評価を知ることができるようにしても良い。
【００６９】
このように、提供した飲食物の写真等データの詳細な評価を知ることで、店舗ユーザは、客観的な料理の評価をさらに詳細に知ることができ、今後の料理屋メニューの改善に活かすことができる。
【００７０】
なお、閲覧ユーザ選択イベント発生手段８から得られる情報をさらに詳しくデータ化しても良い。例えば、どの写真がいつクリックされたか、あるいは写真アップロード後、どの程度の時間でクリックされたか、といった詳細な情報をデータ化しても良い。このデータは、店舗ユーザにとって役立つだけではなく、システム管理者がそれらのデータを分析することで、店舗ユーザに適切な指導を行って、より閲覧ユーザの注目を集めるウエブページにすることもできる。
【００７１】
実施の形態３．
図６は、本発明の実施の形態３に係る飲食物情報閲覧システム１Ｂの構成および関連するネットワーク等に関する構成図である。
実施の形態１に係る飲食物情報閲覧システム１と異なる点は、マイページ情報蓄積表示手段１３が追加されている点である。マイページ情報蓄積表示手段１３は、閲覧ユーザごとに独自のウエブページ（＝マイページ）を提供する。そして、「美味しそう！」や「お店の情報」をクリックすると、それに対応する写真がマイページに掲載される。そして、マイページに掲載された写真をグループ分け出来るようにする。例えば、料理のジャンル別に分けるとか、提供する店舗ごとのグループをつくるといった編集作業を閲覧ユーザが行うことができる。
【００７２】
このように、閲覧ユーザごとにマイページを提供することで、閲覧ユーザは、今後食べに行きたい飲食物をマイページに掲載しておくことができるし、それをジャンルごとに分類編集しておけば、中華を食べに行きたいときには、中華のジャンルからすぐに料理を選ぶことができる。
【００７３】
また、マイページ情報蓄積表示手段１３に追跡機能を持たせることも有効である。追跡機能とは、追跡する店舗ユーザを閲覧ユーザが指定し、その店舗ユーザが提供する写真が自動的に閲覧ユーザマイページに追加される機能である。このような機能を設けることで、閲覧ユーザはその店舗がどのような創意工夫を行っているか、ということが分かり、その店舗に愛着を持つことができる。他方、店舗ユーザは贔屓の客を確保できる。
【００７４】
実施の形態４．
図７は、本発明の実施の形態４に係る飲食物情報閲覧システム１Ｃの構成および関連するネットワーク等に関する構成図である。
実施の形態１に係る飲食物情報閲覧システム１と異なる点は、ＳＮＳ（ソーシャルネットワーキングサービス）通信手段１４が追加されている点である。ＳＮＳ通信手段１４は、各種のソーシャルネットワーキングサービスと閲覧ユーザの認証情報を共有し、閲覧ユーザが登録しているソーシャルネットワーキングサービスの認証情報により本飲食物情報閲覧システム１Ｃにもログインできるようにするものである。
【００７５】
例えば、閲覧ユーザが登録しているソーシャルネットワーキングサービスの認証情報により本飲食物情報閲覧システム１Ｃにログインしようとした際には、認証管理手段４は、ＳＮＳ通信手段１４に指示し、そのソーシャルネットワーキングサービスと通信を行い、必要な認証情報を取得することで、その閲覧ユーザが送信してきた認証情報と照会を行う。
【００７６】
このように認証情報を共通にすることで、本システムにおいて閲覧ユーザが選択した写真データをソーシャルネットワーキングサービスに容易に展開できるというメリットがある。例えば、閲覧ユーザが気に入った料理の写真をソーシャルネットワーキングサービスの自分のページに掲載したり、ソーシャルネットワーキングサービスを介して友達に送信したりすることが容易にできるようになる。
【００７７】
実施の形態５．
図８は、本発明の実施の形態５に係る飲食物情報閲覧システム１Ｃの構成および関連するネットワーク等に関する構成図である。
実施の形態１に係る飲食物情報閲覧システム１と異なる点は、位置情報受付手段１５が追加されている点と、店舗情報として店舗の所在場所が追加されている点である。位置情報受付手段１５は、閲覧ユーザが指定する位置情報を受信する。例えば、閲覧ユーザが住所や駅名等を指定すれば、店舗情報を参照して、そこから近い場所に店舗がある店舗ユーザを抽出し、抽出された店舗ユーザが提供した写真のみをウエブサイトに掲載する。
【００７８】
このようにすることで、閲覧ユーザは短時間で行くことができる飲食店が提供する飲食物の写真だけを見ることができる。そのため、お腹が減って直ぐに食べたいときには、視覚によって食べたいものを選択し、お店の詳細な情報を見ることによって、場所を確認し、食事をすることができる。したがって、家に居ながらレストラン街で食べたいものを探す感覚により近づいた行動を行うことができる。
【符号の説明】
【００７９】
１、１Ａ、１Ｂ、１Ｃ、１Ｄ  飲食物情報閲覧システム
２  店舗ユーザデータ蓄積手段
３  閲覧ユーザデータ蓄積手段
４  認証管理手段
５  写真データ蓄積手段
６  順位付け手段
７  写真配置手段
８  閲覧ユーザ選択イベント発生手段
９  店舗情報表示手段
１０  写真拡大手段
１２  ランキング手段
１３  マイページ情報蓄積表示手段
１４  ＳＮＳ通信手段
１５  位置情報受付手段
【図１】
2015022595.tif 000003
【図２】
2015022595.tif 000004
【図３】
2015022595.tif 000005
【図４】
2015022595.tif 000006
【図５】
2015022595.tif 000007
【図６】
2015022595.tif 000008
【図７】
2015022595.tif 000009
【図８】
2015022595.tif 000010